【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
駐車場の入場口に設けられた入場ＥＴＣ路側器からＥＴＣ情報を受信し、利用者が所持する可搬メディアから前記ＥＴＣ情報と関連する利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車場サーバ。
【請求項２】
駐車場の入場口に設けられた入場ＥＴＣ路側器からＥＴＣ情報を受信し、利用者が所持する可搬メディアから前記ＥＴＣ情報と関連する利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけてデータベースに記憶する第１紐づけ部と、
前記利用者情報と前記割引情報を紐づけてデータベースに記憶する第２紐づけ部と、
前記出場ＥＴＣ路側器から受信した前記ＥＴＣ情報に基づいて前記データベースを検索し、検索された前記割引情報に基づいて前記請求情報を生成する請求情報生成部を含む
駐車場サーバ。
【請求項３】
請求項１または２に記載の駐車場サーバであって、
前記可搬メディアが、
情報端末、ＮＦＣチップ搭載媒体、コード記録媒体の何れかである
駐車場サーバ。
【請求項４】
駐車場の入場口に設けられた入場ＥＴＣ路側器からＥＴＣ情報を受信し、前記ＥＴＣ情報と関連する生体認証情報である利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車場サーバ。
【請求項５】
駐車場の入場口に設けられた入場ＥＴＣ路側器からＥＴＣ情報を受信し、前記ＥＴＣ情報と関連する生体認証情報である利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけてデータベースに記憶する第１紐づけ部と、
前記利用者情報と前記割引情報を紐づけてデータベースに記憶する第２紐づけ部と、
前記出場ＥＴＣ路側器から受信した前記ＥＴＣ情報に基づいて前記データベースを検索し、検索された前記割引情報に基づいて前記請求情報を生成する請求情報生成部を含む
駐車場サーバ。
【請求項６】
請求項１から５の何れかに記載の駐車場サーバであって、
データ送受信部は、
前記ＥＴＣ情報に対応するオーソリ情報を受信する
駐車場サーバ。
【請求項７】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記店舗端末は、前記利用者情報と関連する割引情報を前記駐車場サーバに送信し、
前記出場ＥＴＣ路側器は、前記ＥＴＣ情報を前記駐車場サーバに送信し、
前記駐車場サーバは、
前記ＥＴＣ情報と、前記利用者情報と、前記割引情報を受信し、前記所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車料金精算システム。
【請求項８】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記店舗端末は、前記利用者情報と関連する割引情報を前記駐車場サーバに送信し、
前記出場ＥＴＣ路側器は、前記ＥＴＣ情報を前記駐車場サーバに送信し、
前記駐車場サーバは、
前記ＥＴＣ情報と、前記利用者情報と、前記割引情報を受信し、前記所定のサーバに前記割引情報に基づいた駐車料金の請求情報を送信するデータ送受信部と、
前記入場ＥＴＣ路側器から受信した前記ＥＴＣ情報と前記利用者情報を紐づけてデータベースに記憶する第１紐づけ部と、
前記利用者情報と前記割引情報を紐づけてデータベースに記憶する第２紐づけ部と、
前記出場ＥＴＣ路側器から受信した前記ＥＴＣ情報に基づいて前記データベースを検索し、検索された前記割引情報に基づいて前記請求情報を生成する請求情報生成部を含む
駐車料金精算システム。
【請求項９】
請求項７または８に記載の駐車料金精算システムであって、
前記可搬メディアが、
情報端末、ＮＦＣチップ搭載媒体、コード記録媒体の何れかである
駐車料金精算システム。
【請求項１０】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバが実行する駐車料金精算方法であって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記駐車場サーバは、前記入場ＥＴＣ路側器から受信した前記ＥＴＣ情報と前記利用者情報を紐づけて第１エントリとしてデータベースに記憶し、
前記店舗端末は、前記利用者情報と関連する割引情報を前記駐車場サーバに送信し、
前記駐車場サーバは、前記入場ＥＴＣ路側器から受信した前記ＥＴＣ情報と前記利用者情報と前記割引情報を紐づけて第２エントリとしてデータベースに記憶し、
前記出場ＥＴＣ路側器は、前記ＥＴＣ情報を前記駐車場サーバに送信し、
前記駐車場サーバは、前記出場ＥＴＣ路側器から受信した前記ＥＴＣ情報に基づいて前記データベースを検索し、検索された前記第２エントリの前記割引情報に基づいて駐車料金の請求情報を生成し、
前記駐車場サーバは、所定のサーバに前記請求情報を送信する
駐車料金精算方法。
【請求項１１】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバが実行する駐車料金精算方法であって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記駐車場サーバは、前記入場ＥＴＣ路側器から受信した前記ＥＴＣ情報と前記利用者情報を紐づけてデータベースに記憶し、
前記店舗端末は、前記利用者情報と関連する割引情報を前記駐車場サーバに送信し、
前記駐車場サーバは、前記利用者情報と前記割引情報を紐づけてデータベースに記憶し、
前記出場ＥＴＣ路側器は、前記ＥＴＣ情報を前記駐車場サーバに送信し、
前記駐車場サーバは、前記出場ＥＴＣ路側器から受信した前記ＥＴＣ情報に基づいて前記データベースを検索し、検索された前記割引情報に基づいて駐車料金の請求情報を生成し、
前記駐車場サーバは、所定のサーバに前記請求情報を送信する
駐車料金精算方法。
【請求項１２】
請求項１０または１１に記載の駐車料金精算方法であって、
前記可搬メディアが、
情報端末、ＮＦＣチップ搭載媒体、コード記録媒体の何れかである
駐車料金精算方法。
【請求項１３】
コンピュータを、請求項１から６の何れかに記載の駐車場サーバとして機能させるプログラム。